【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
サービスとしてメッセージ符号化または復号化を提供するための方法であって、
符号化／復号化機能（ＥＤＦ）ノードにおいて、
メッセージ識別子と動作識別子とを含んだメッセージ符号化／復号化動作要求を受信するステップと、
前記動作識別子を用いて、前記メッセージ識別子が示すメッセージから復号化された少なくとも１つのＴＬＶ要素にアクセスまたは当該少なくとも１つのＴＬＶ要素を修正することを伴うメッセージ符号化／復号化動作を実行するステップと、
前記メッセージ符号化／復号化動作が正常に実行されたかどうかを示す応答を送信するステップとを含む、方法。
【請求項２】
前記ＥＤＦノードにおいて、前記メッセージ符号化／復号化動作要求を受信する前に、
前記少なくとも１つのＴＬＶ要素を含んだ第１メッセージを受信するステップと、
前記少なくとも１つのＴＬＶ要素を識別するための前記メッセージ識別子を生成するステップと、
前記メッセージ識別子と前記少なくとも１つのＴＬＶ要素とを関連付けるエントリをデータ構造に格納するステップとを含む、請求項１に記載の方法。
【請求項３】
前記第１メッセージは、Ｄｉａｍｅｔｅｒメッセージ、ＲＡＤＩＵＳ（Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｃｅ）メッセージ、ＣＯＰＳ（Ｃｏｍｍｏｎ  Ｏｐｅｎ  Ｐｏｌｉｃｙ  Ｓｅｒｖｉｃｅ）メッセージ、ＬＬＤＰ（Ｌｉｎｋ  Ｌａｙｅｒ  Ｄｉｓｃｏｖｅｒｙ  Ｐｒｏｔｏｃｏｌ）メッセージ、ＨＴＴＰ（Ｈｙｐｅｒｔｅｘｔ  Ｔｒａｎｓｆｅｒ  Ｐｒｏｔｏｃｏｌ）メッセージ、ＡＪＡＸメッセージ、ＸＭＬ（Ｅｘｔｅｎｓｉｂｌｅ  Ｍａｒｋｕｐ  Ｌａｎｇｕａｇｅ）メッセージ、ＲＥＳＴ（Ｒｅｐｒｅｓｅｎｔａｔｉｏｎａｌ  Ｓｔａｔｅ  Ｔｒａｎｓｆｅｒ）メッセージ、ＨＴＭＬ（Ｈｙｐｅｒｔｅｘｔ  Ｍａｒｋｕｐ  Ｌａｎｇｕａｇｅ）メッセージ、またはＩＳ−ＩＳ（Ｉｎｔｅｒｍｅｄｉａｔｅ  Ｓｙｓｔｅｍ  Ｔｏ  Ｉｎｔｅｒｍｅｄｉａｔｅ  Ｓｙｓｔｅｍ）メッセージを含む、請求項２に記載の方法。
【請求項４】
前記メッセージ符号化／復号化動作要求は、特定のメッセージに関連付けられた１つ以上のＴＬＶ要素を符号化および／または取り出すための要求、特定のメッセージに関連付けられた１つ以上のＴＬＶ要素を用いて、符号化されたメッセージを生成および／または取り出すための要求、特定のメッセージに関連付けられた１つ以上のＴＬＶ要素を復号化および／または取り出すための要求、特定のメッセージに関連付けられた１つ以上のＴＬＶ要素を含んだ符号化されたメッセージを復号化および／または取り出す要求、特定のメッセージの１つ以上のＴＬＶ要素を修正する要求、特定のメッセージの１つ以上のＴＬＶ要素を追加する要求、または特定のメッセージの１つ以上のＴＬＶ要素を削除する要求を含む、請求項１から３のいずれか１項に記載の方法。
【請求項５】
前記少なくとも１つのＴＬＶ要素は、プロトコルインタフェース識別子、関連接続／パス識別子、アプリケーション識別子、送信元レルム、送信元アドレス、宛先レルム、宛先アドレス、優先順位関連のＴＬＶ要素、またはＮＧＮ−ＰＳ（Ｎｅｘｔ  Ｇｅｎｅｒａｔｉｏｎ  Ｎｅｔｗｏｒｋｓ  Ｐｒｉｏｒｉｔｙ  Ｓｅｒｖｉｃｅｓ）ＴＬＶ要素を含む、請求項１から４のいずれか１項に記載の方法。
【請求項６】
前記メッセージ符号化／復号化動作要求は、分散ネットワーク機能（ＤＮＦ：Ｄｉｓｔｒｉｂｕｔｅｄ  Ｎｅｔｗｏｒｋ  Ｆｕｎｃｔｉｏｎ）に関連する第１機能を実行するように構成された第１ノードからの要求である、請求項１から５のいずれか１項に記載の方法。
【請求項７】
前記第１ノードは、前記メッセージ識別子を含んだ送信メッセージを、前記ＤＮＦに関連する第２機能を実行するように構成された第２ノードに送信する、請求項６に記載の方法。
【請求項８】
前記ＤＮＦは、コンピューティングプラットフォーム、信号ルータ、ルーティングエージェント、中継エージェント、転送エージェント、ＤＳＲ（Ｄｉａｍｅｔｅｒ  Ｓｉｇｎａｌｉｎｇ  Ｒｏｕｔｅｒ）、Ｄｉａｍｅｔｅｒノード、ＲＡＤＩＵＳ（Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｃｅ）ノード、ＲＡＤＩＵＳ信号ルータ、ネットワークルータ、ネットワークスイッチ、仮想化されたノード、仮想化されたＤＳＲ、仮想化された信号ルータ、ネットワーク機器、または、セキュリティおよび／もしくはファイアウォールエージェント含む、請求項６または７に記載の方法。
【請求項９】
符号化／復号化機能（ＥＤＦ）ノードにおいて、
前記メッセージ識別子と、前記少なくとも１つのＴＬＶ要素に対して行う第２動作を示す第２の動作識別子とを含んだ第２のメッセージ符号化／復号化動作要求を受信するステップを含む、請求項１から８のいずれか１項に記載の方法。
【請求項１０】
サービスとしてメッセージ符号化または復号化を提供するためのシステムであって、前記システムは、
少なくとも１つのプロセッサと、
前記少なくとも１つのプロセッサを用いて実装される符号化／復号化機能（ＥＤＦ）ノードとを備え、前記ＥＤＦノードは、
メッセージ識別子と動作識別子とを含んだメッセージ符号化／復号化動作要求を受信し、
前記動作識別子を用いて、前記メッセージ識別子が示すメッセージから復号化された少なくとも１つのＴＬＶ要素にアクセスまたは当該少なくとも１つのＴＬＶ要素を修正することを伴うメッセージ符号化／復号化動作を実行し、
前記メッセージ符号化／復号化動作が正常に実行されたかどうかを示す応答を送信するように構成される、システム。
【請求項１１】
前記ＥＤＦノードは、
前記メッセージ符号化／復号化動作要求を受信する前に、
前記少なくとも１つのＴＬＶ要素を含んだ第１メッセージを受信し、
前記少なくとも１つのＴＬＶ要素を識別するための前記メッセージ識別子を生成し、
前記メッセージ識別子と前記少なくとも１つのＴＬＶ要素とを関連付けるエントリをデータ構造に格納するように構成される、請求項１０に記載のシステム。
【請求項１２】
前記第１メッセージは、Ｄｉａｍｅｔｅｒメッセージ、ＲＡＤＩＵＳ（Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｃｅ）メッセージ、ＣＯＰＳ（Ｃｏｍｍｏｎ  Ｏｐｅｎ  Ｐｏｌｉｃｙ  Ｓｅｒｖｉｃｅ）メッセージ、ＬＬＤＰ（Ｌｉｎｋ  Ｌａｙｅｒ  Ｄｉｓｃｏｖｅｒｙ  Ｐｒｏｔｏｃｏｌ）メッセージ、ＨＴＴＰ（Ｈｙｐｅｒｔｅｘｔ  Ｔｒａｎｓｆｅｒ  Ｐｒｏｔｏｃｏｌ）メッセージ、ＡＪＡＸメッセージ、ＸＭＬ（Ｅｘｔｅｎｓｉｂｌｅ  Ｍａｒｋｕｐ  Ｌａｎｇｕａｇｅ）メッセージ、ＲＥＳＴ（Ｒｅｐｒｅｓｅｎｔａｔｉｏｎａｌ  Ｓｔａｔｅ  Ｔｒａｎｓｆｅｒ）メッセージ、ＨＴＭＬ（Ｈｙｐｅｒｔｅｘｔ  Ｍａｒｋｕｐ  Ｌａｎｇｕａｇｅ）メッセージ、またはＩＳ−ＩＳ（Ｉｎｔｅｒｍｅｄｉａｔｅ  Ｓｙｓｔｅｍ  Ｔｏ  Ｉｎｔｅｒｍｅｄｉａｔｅ  Ｓｙｓｔｅｍ）メッセージを含む、請求項１１に記載のシステム。
【請求項１３】
前記メッセージ符号化／復号化動作要求は、特定のメッセージに関連付けられた１つ以
上のＴＬＶ要素を符号化および／または取り出すための要求、特定のメッセージに関連付けられた１つ以上のＴＬＶ要素を用いて、符号化されたメッセージを生成および／または取り出すための要求、特定のメッセージに関連付けられた１つ以上のＴＬＶ要素を復号化および／または取り出すための要求、特定のメッセージに関連付けられた１つ以上のＴＬＶ要素を含んだ符号化されたメッセージを復号化および／または取り出す要求、特定のメッセージの１つ以上のＴＬＶ要素を修正する要求、特定のメッセージの１つ以上のＴＬＶ要素を追加する要求、または特定のメッセージの１つ以上のＴＬＶ要素を削除する要求を含む、請求項１０から１２のいずれか１項に記載のシステム。
【請求項１４】
前記少なくとも１つのＴＬＶ要素は、プロトコルインタフェース識別子、関連接続／パス識別子、アプリケーション識別子、送信元レルム、送信元アドレス、宛先レルム、宛先アドレス、優先順位関連のＴＬＶ要素、またはＮＧＮ−ＰＳ（Ｎｅｘｔ  Ｇｅｎｅｒａｔｉｏｎ  Ｎｅｔｗｏｒｋｓ  Ｐｒｉｏｒｉｔｙ  Ｓｅｒｖｉｃｅｓ）ＴＬＶ要素を含む、請求項１０から１３のいずれか１項に記載のシステム。
【請求項１５】
前記メッセージ符号化／復号化動作要求は、分散ネットワーク機能（ＤＮＦ）に関連する第１機能を実行するように構成された第１ノードからの要求である、請求項１０から１４のいずれか１項に記載のシステム。
【請求項１６】
前記第１ノードは、前記メッセージ識別子を含んだ送信メッセージを、前記ＤＮＦに関連する第２機能を実行するように構成された第２ノードに送信する、請求項１５に記載のシステム。
【請求項１７】
前記ＤＮＦは、コンピューティングプラットフォーム、信号ルータ、ルーティングエージェント、中継エージェント、転送エージェント、ＤＳＲ（Ｄｉａｍｅｔｅｒ  Ｓｉｇｎａｌｉｎｇ  Ｒｏｕｔｅｒ）、Ｄｉａｍｅｔｅｒノード、ＲＡＤＩＵＳ（Ｒｅｍｏｔｅ  Ａｕｔｈｅｎｔｉｃａｔｉｏｎ  Ｄｉａｌ  Ｉｎ  Ｕｓｅｒ  Ｓｅｒｖｉｃｅ）ノード、ＲＡＤＩＵＳ信号ルータ、ネットワークルータ、ネットワークスイッチ、仮想化されたノード、仮想化されたＤＳＲ、仮想化された信号ルータ、ネットワーク機器、または、セキュリティおよび／もしくはファイアウォールエージェントを含む、請求項１５または１６に記載のシステム。
【請求項１８】
前記ＥＤＦノードは、
前記メッセージ識別子と、前記少なくとも１つのＴＬＶ要素に対して行う第２動作を示す第２の動作識別子とを含んだ第２のメッセージ符号化／復号化動作要求を受信するように構成される、請求項１０から１７のいずれか１項に記載のシステム。
【請求項１９】
少なくとも１つのプロセッサに請求項１から９のいずれか１項に記載の方法を実行させるプログラム。